(57)【要約】【課題】本発明は、可換型の記録媒体を備えた電子機器に関するもので、記録媒体を挿入口に着脱する際に、電源スイッチをＯＮからＯＦＦに切り替えて、記録媒体の挿入口のカバーを開けた後に、記録媒体の抜き差しを行っていたので、利便性が低くなってしまうため、利便性を高めることを目的とするものである。【解決手段】そしてこの目的を達成するために本発明は、本体１と、この本体１に着脱自在に設けたケーブル部５とを備え、ケーブル部５は、電源供給線を有し、このケーブル部５で覆った前記本体部分には、記録媒体１０の挿入口１１を設けた。【選択図】図２
2011019866.tif 000002
【特許請求の範囲】
【請求項１】
本体と、この本体に着脱自在に設けたケーブル部とを備え、
前記ケーブル部は、電源供給線を有し、このケーブル部で覆った前記本体部分には、記録媒体の挿入口を設けた電子機器。
【請求項２】
前記本体と、前記ケーブル部の着脱状態を検知する検知部を備え、この検知部の検知状態に応じて、電源の供給と停止の制御を行う請求項１に記載の電子機器。
【請求項３】
前記本体から前記ケーブル部を取り外す際の電気的な接合状態を、前記検知部が前記本体から前記ケーブル部が取り外されたと検知するタイミングよりも長くなるようにした請求項２に記載の電子機器。
【請求項４】
前記電子機器は口腔内カメラとした請求項１から３のいずれか一つに記載の電子機器。
【発明の詳細な説明】
【技術分野】
【０００１】
本発明は、たとえば、本体に記録媒体を着脱自在に設けた電子機器に関するものである。
【背景技術】
【０００２】
従来のこの種、電子機器の構成は、以下のようになっていた。
【０００３】
すなわち、本体には、記録媒体の挿入口と、この挿入口を覆うカバーと、電源供給線を有するケーブル部と、この電源をＯＮ／ＯＦＦするスイッチとを備えた構成であった。
この記録媒体の挿入口のカバーに、電源のＯＮ／ＯＦＦを連動させることで、電源ＯＮ時に記録媒体を抜けないようにしたものもあった（例えば、これに類似する技術は下記特許文献１に記載されている）。
【先行技術文献】
【特許文献】
【０００４】
【特許文献１】実開平６−１９０５５号公報
【発明の概要】
【発明が解決しようとする課題】
【０００５】
前記従来例における課題は、利便性が低いことであった。
【０００６】
すなわち、上記従来例においては、記録媒体を挿入口に着脱する際に、電源スイッチをＯＮからＯＦＦに切り替えて、記録媒体の挿入口のカバーを開けた後に、記録媒体の抜き差しを行っていたので、利便性が低くなってしまうのであった。
【０００７】
そこで、本発明は、利便性を高めることが目的である。
【課題を解決するための手段】
【０００８】
そしてこの目的を達成するために本発明は、本体と、この本体に着脱自在に設けたケーブル部とを備え、前記ケーブル部は、電源供給線を有し、このケーブル部で覆った前記本体部分には、記録媒体の挿入口を設けた構成とし、これにより所期の目的を達成するものである。
【発明の効果】
【０００９】
以上のように本発明は、本体と、この本体に着脱自在に設けたケーブル部とを備え、
前記ケーブル部は、電源供給線を有し、このケーブル部で覆った前記本体部分には、記録媒体の挿入口を設けたものであるので、利便性を高めることができる。
【００１０】
すなわち、本発明においては、記録媒体の挿入口をケーブル部で覆い、記録媒体を挿入口から抜き差しする際には、ケーブル部を本体から取り外す構成にしたので、電源ＯＦＦと挿入口のカバーを開ける作業が同時に行えるため、作業が簡単になり、利便性を高めることができるのである。
【図面の簡単な説明】
【００１１】
【図１】本発明の一実施形態の斜視図
【図２】その分解斜視図
【図３】その主要部の斜視図
【図４】その主要部の斜視図
【図５】そのブロック図
【発明を実施するための形態】
【００１２】
以下、本発明の一実施形態を、この電子機器の一例として口腔内カメラに適用した物を、添付図面を用いて説明する。
【００１３】
図１において、１は本体で、この本体１の前方には、透明の保護カバー２を有する集光窓３が設けられ、また、後方には、本体１に電源を供給する電源供給線や、本体１からの映像信号を表示装置（図示していないが）に送信するためのケーブル４を、本体１と連結するために、着脱自在に設けられたケーブル部５を備えている。
【００１４】
図１において、本体１の右側の側面には、前記表示装置に対して、記録した映像信号を再生、停止、早送り、巻き戻しを操作するための操作パネル６が設けられ、さらに、本体１の上面には、映像信号の記録を行うための記録操作ボタン７が設けられ、さらにまた、ケーブル部５を本体１からの着脱を操作するための着脱操作部８が設けられている。ケーブル部５には、この着脱操作部８に着脱自在に嵌合し、本体１を覆うように構成されているカバー９が設けられており、このカバー９の下方には、図２に示すように、記録媒体１０と、この記録媒体１０の挿入口１１が設けられている。
【００１５】
図２に、本体１からケーブル部５を取り外した場合の分解斜視図を示す。
【００１６】
ケーブル部５を本体１から取り外す際には、ケーブル部５のカバー９の先端に設けられた凸部１２を、本体１の着脱操作部８の後端に設けられた凹部１３から引き抜くことになるが、これら凸部１２と凹部１３の嵌合状態を検知する検知機構が設けられており、この検知状態によって電源がＯＮからＯＦＦ状態になったことを後述する本体１内に設けられた制御部が認識を行い、電源ＯＦＦ状態を認識した場合は、前記制御部は、本体１の機器の状態を速やかに電源ＯＦＦの状態へと移行させる。その後、図２のごとくケーブル部５を本体１より外すことで、上述したように、記録媒体１０および記録媒体の挿入口１１が開放された状態となる。この状態で、使用者は記録媒体１０を挿入口１１に対して抜き差しが可能となる。
【００１７】
このように、記録媒体１０の挿入口１１をケーブル部５のカバー９で覆い、記録媒体１０を挿入口１１から抜き差しする際には、ケーブル部５を本体１から取り外す構成にしたので、電源ＯＦＦと挿入口１１のカバー９を開ける作業が同時に行えるため、記録媒体１０の操作作業が簡単になり、利便性を高めることができるのである。
【００１８】
さらには、記録媒体１０を挿入口１１から抜き差しする際に、この挿入口１１を覆ったケーブル部５を本体１より外すことになるので、記録媒体１０の挿入口１１を電気的に完全に絶縁状態にする構成となっている。
【００１９】
例えば、口腔内カメラなどの医療用の電子機器においては、より高い安全基準が設けられているが、本実施形態によれば、記録媒体１０を挿入口１１に対して抜き差しする際において、記録媒体１０の挿入口１１を電気的に完全に絶縁状態にすることができるので、より高い安全性を確保することが可能となる。
【００２０】
さらにまた、このような柔軟な構造のケーブル部５に電子機器本体が繋がっていて、この電子機器をかなりの頻度で動かすような電子機器においては、ケーブル部５と電子機器の本体１の接合点であるケーブル接合部１４に経年的な劣化が起こって、修理が必要になる場合がある。このような修理をする場合には、このケーブル接合部１４が、電子機器の本体１に固定して設けられていると、機器一式を回収して修理を行うことが必要になり、その修理の間は、この機器が使用できなくなるが、本実施形態のように、本体１からケーブル接合部１４を有するケーブル部５を取り外すことができる構成となっていると、ケーブル部５のみを交換して回収修理が可能となるので、メンテナンス性が向上するという効果がある。
【００２１】
また本体１をケーブル部５より取り外すことで、本体１の洗浄も容易になる。
【００２２】
さて上述したように、本実施形態の特徴である、本体１とケーブル部５の接合状態について、さらに詳細に説明する。
【００２３】
図３は、本体１側の接合部を示し、図４は、ケーブル部５側の接合部を示す。図３によると、本体１の接合部には、本体１を着脱する方向に対して、所定の長さをもった管状の接合管１５が設けられ、この接合管の内側には、同様に本体１を着脱する方向に対して、所定の長さをもった凹型コネクター１６が設けられている。
【００２４】
図４によると、図３に示す接合管１５を嵌合するように設けられた管状溝１７と、接合管１８を有し、その内側には、図３に示す凹型コネクター１６に嵌合する凸型コネクター１９が設けられている。この凸型コネクター１９も、同様に本体１を着脱する方向に対して、所定の長さを設けている。
【００２５】
これは、上述したように、本体１からケーブル部５を取り外す際には、まず、ケーブル部５のカバー９の先端に設けられた凸部１２を、本体１の着脱操作部８の後端に設けられた凹部１３から引き抜くことになり、この状態を検知機構が認識した状態においても、凹型コネクター１６と凸型コネクター１９は、まだ電気的に接触した状態にある。これは、凹型コネクター１６と凸型コネクター１９が所定の長さ、すなわち、凸部１２と凹部１３の着脱方向の長さよりも長くなるように設定しているので、ケーブル部５の凸部１２と本体１の凹部１３が分離した後もしばらくは電気的な接合状態を維持することができる。
【００２６】
これにより、本体１からケーブル部５を取り外す際の電気的な接合状態を、前記検知機構が本体１からケーブル部５が取り外されたと検知するタイミングよりも長く保持することが可能となる。
【００２７】
このために、本体１内の制御部は、検知機構が検知した後でも、制御部を含めた本体１内の各機能ブロックに対して電源が供給されているために、後述するが、本体１内の各部の状態を電源ＯＦＦに応じた状態に設定できるのである。
【００２８】
図５に、本実施形態のブロック図を示す。
【００２９】
対象物（例えば口腔内の歯）２０の像を、入出部２１より取り込み、その像をレンズ部２２で所望の画像を生成した後、その画像をＣＣＤで構成された撮像素子２３に電気信号として取り込む。
【００３０】
制御部２４は、操作部２５の操作状態に応じて、撮像素子２３に取り込まれた電気信号を記録部２６に記録をしたり、また、撮像素子２３に取り込まれた電気信号をケーブル部５を通して表示システム部２７に送信したりする。
【００３１】
電源は、表示システム部２７からケーブル部５を通して供給される。ケーブル部５からの電源は、電源供給部２８を通して、各部に供給される。制御部２４は、ケーブル部５が本体１から外されたかどうかを検知する検知部２９からの通知に従って、電源供給部２８を制御しながら本体１側の各部に対して電源ＯＦＦ状態に速やかに移行するように制御を行う。
【００３２】
図５によると、本体１側は、入出部２１、レンズ部２２、撮像素子２３、制御部２４、操作部２５、記録部２６、電源供給部２８、検知部２９から構成されている。
【産業上の利用可能性】
【００３３】
以上のように本発明は、本体と、この本体に着脱自在に設けたケーブル部とを備え、
前記ケーブル部は、電源供給線を有し、このケーブル部で覆った前記本体部分には、記録媒体の挿入口を設けたものであるので、利便性を高めることができる。
【００３４】
すなわち、本発明においては、記録媒体の挿入口をケーブル部で覆い、記録媒体を挿入口から抜き差しする際には、ケーブル部を本体から取り外す構成にしたので、電源ＯＦＦと挿入口のカバーを開ける作業が同時に行えるため、作業が簡単になり、利便性を高めることができるのである。
【００３５】
したがって、たとえば、歯科用口腔内カメラなどに広く活用が期待されるものである。
【符号の説明】
【００３６】
１  本体
２  保護カバー
３  集光窓
４  ケーブル
５  ケーブル部
６  操作パネル
７  記録操作ボタン
８  着脱操作部
９  カバー
１０  記録媒体
１１  挿入口
１２  凸部
１３  凹部
１４  ケーブル接合部
１５  接合管
１６  凹型コネクター
１７  管状溝
１８  接合管
１９  凸型コネクター
２０  対象物
２１  入出部
２２  レンズ部
２３  撮像素子
２４  制御部
２５  操作部
２６  記録部
２７  表示システム部
２８  電源供給部
２９  検知部
【図１】
2011019866.tif 000003
【図２】
2011019866.tif 000004
【図３】
2011019866.tif 000005
【図４】
2011019866.tif 000006
【図５】
2011019866.tif 000007